(57)【要約】【課題】情報の自動的なスクロール表示を行ない、また、自動的なスクロール表示によるユーザの利便性を更に向上することができる情報表示装置を提供する。【解決手段】表示すべき文字情報を、ＬＣＤ１２に右から左（白抜矢符方向）へ自動的にスクロール表示する。トラックボール１４が左方向へ操作された場合はＬＣＤ１２に表示されている情報のスクロール速度を増加させる。右方向へ操作された場合は前記スクロール速度を減少させ、該スクロール速度が０未満になった場合は、左から右へスクロール表示する。【選択図】  図１
2004325906.tif 000002
【特許請求の範囲】
【請求項１】
表示すべき情報をスクロール表示する手段と、
スクロール方向の変更及び／又はスクロール速度を受け付ける受付手段と、
受け付けたスクロール方向及び／又はスクロール速度に応じて前記情報をスクロール表示する手段とを備えることを特徴とする情報表示装置。
【請求項２】
前記受付手段は、スクロール速度の増減を受け付ける手段を備えることを特徴とする請求項１に記載の情報表示装置。
【請求項３】
前記受付手段は、スクロール速度の増加を受け付ける手段と、逆方向へのスクロール表示を受け付ける手段とを備えることを特徴とする請求項１に記載の情報表示装置。
【発明の詳細な説明】
【０００１】
【発明の属する技術分野】
本発明は、情報をスクロール表示する情報表示装置に関する。
【０００２】
【従来の技術】
情報表示装置は、装置の動作状態、又はユーザに対する指示等の表示すべき情報（以下、メッセージという）を表示する表示手段を備える。
近年、表示手段（例えば液晶ディスプレイ）の小型化、及びメッセージの長文化等によって、表示手段にメッセージを静止表示すると、メッセージの一部しか表示できないという問題があった。
この問題を解決するために、従来の表示情報装置は、メッセージのスクロール表示を受け付ける手段（例えば一対の表示スクロールキー）を備える。この場合、表示情報装置は、ユーザが表示スクロールキーを操作したとき、メッセージを一方向へスクロール表示する（例えば、特許文献１参照）。
【０００３】
【特許文献１】
特開平１１−１３４１５６号公報
【０００４】
【発明が解決しようとする課題】
しかしながら、従来の情報表示装置は、該情報表示装置に、ユーザが手動でスクロール表示を行なわせるため、ユーザの作業が煩雑であった。
また、メッセージを自動的にスクロール表示し、ユーザが手動でスクロール方向の変更又はスクロール速度の増減等を行なう情報表示装置は開示されていない。
【０００５】
本発明は斯かる事情に鑑みてなされたものであり、メッセージの自動的なスクロール表示を行ない、また、スクロール方向の変更及び／又はスクロール速度を受け付け、受け付けたスクロール方向及び／又はスクロール速度に応じてメッセージをスクロール表示することにより、ユーザの作業を簡易にでき、また、スクロール表示されるメッセージをユーザが見逃すことを防止できる情報表示装置を提供することを目的とする。
【０００６】
【課題を解決するための手段】
第１発明に係る情報表示装置は、表示すべき情報をスクロール表示する手段と、スクロール方向の変更及び／又はスクロール速度を受け付ける受付手段と、受け付けたスクロール方向及び／又はスクロール速度に応じて前記情報をスクロール表示する手段とを備えることを特徴とする。
【０００７】
第１発明にあっては、表示すべき情報（例えば文字情報）を自動的にスクロール表示する液晶ディスプレイ又はＣＲＴディスプレイ等の表示手段が備えられている。また、受付手段として、スクロール方向の変更を受け付ける矢印キー若しくはファンクションキー等、及び／又はスクロール速度を受け付けるファンクションキー若しくはテンキー等が備えられている。
例えば、矢印キーでスクロール方向の変更を受け付ける場合、スクロール方向に対応する矢印キーが操作されたときに、表示手段にて、操作された方向へ情報がスクロール表示される。また、ファンクションキーでスクロール方向の変更を受け付ける場合、ファンクションキーが操作される都度、表示手段にて、一方向及び他方向へ交互に、情報がスクロール表示される。
【０００８】
また、例えば、テンキーでスクロール速度を受け付ける場合、表示手段にて、テンキーを用いて入力された数値に応じたスクロール速度で情報がスクロール表示される。また、ファンクションキーでスクロール速度を受け付ける場合、ファンクションキーに予め数値を対応させておき、表示手段にて、操作されたファンクションキーに対応する数値に応じたスクロール速度で情報がスクロール表示される。
以上のような情報表示装置は、情報を自動的にスクロール表示し、ユーザが手動でスクロール方向の変更又はスクロール速度の設定等を行なう。
【０００９】
第２発明に係る情報表示装置は、前記受付手段は、スクロール速度の増減を受け付ける手段を備えることを特徴とする。
【００１０】
第２発明にあっては、受付手段として、スクロール速度の増加／減少を受け付けるテンキー又はトラックボール等が備えられている。
例えば、テンキーでスクロール速度の増減を受け付ける場合、表示手段にて、テンキー操作前のスクロール速度に対し、テンキーを用いて入力された数値に応じた速度を増加／減少させたスクロール速度で情報がスクロール表示される。また、トラックボールでスクロール速度の増減を受け付ける場合、表示手段にて、トラックボール操作前のスクロール速度に対し、トラックボールの回転量に応じた速度を増加／減少させたスクロール速度で情報がスクロール表示される。
以上のような情報表示装置は、情報を自動的にスクロール表示し、ユーザが手動でスクロール方向の変更又はスクロール速度の増減等を行なう。
【００１１】
第３発明に係る情報表示装置は、前記受付手段は、スクロール速度の増加を受け付ける手段と、逆方向へのスクロール表示を受け付ける手段とを備えることを特徴とする。
【００１２】
第３発明にあっては、受付手段として、スクロール速度の増加を受け付けるポインティングスティック又はファンクションキー等と、スクロール方向の逆方向への変更を受け付ける矢印キー又はファンクションキー等が備えられている。
例えば、ファンクションキーでスクロール速度の増加を受け付ける場合、予めファンクションキーに、通常のスクロール速度より速い速度が割り当てられている。この場合、ファンクションキーが操作されていないときは、表示手段にて、通常のスクロール速度で情報がスクロール表示され、ファンクションキーが操作されているときは、表示手段にて、ファンクションキーに割り当てられているスクロール速度で情報がスクロール表示される。
【００１３】
また、ポインティングスティックでスクロール速度の増加を受け付ける場合、表示手段にて、ポインティングスティック操作前のスクロール速度に対し、ポインティングスティックの操作時間（ユーザがポインティングスティックを一方向へ倒し続けている時間）又は操作量（ユーザがポインティングスティックを倒す角度）等に応じた速度を増加させたスクロール速度で情報がスクロール表示される。
【００１４】
また、例えば、ファンクションキーでスクロール方向の逆方向への変更を受け付ける場合、ファンクションキーが操作されていないときは、表示手段にて、通常のスクロール方向へ情報がスクロール表示され、ファンクションキーが操作されているときは、表示手段にて、通常のスクロール方向とは逆方向へ情報がスクロール表示される。また、矢印キーでスクロール方向の変更を受け付ける場合、通常のスクロール方向とは逆方向に対応する矢印キーが操作されたときに、表示手段にて、操作された方向へ情報がスクロール表示される。
以上のような情報表示装置は、情報を自動的にスクロール表示し、ユーザが手動でスクロール方向の変更又はスクロール速度の増加等を行なう。
【００１５】
【発明の実施の形態】
以下、本発明をその実施の形態を示す図面に基づいて詳述する。
本実施の形態においては、本発明の情報表示装置がプリンタに備えられている場合を例示するが、これに限定されるものではない。例えば、スキャナ、ファクシミリ、コピー機、又はこれらの複合機等に備えられていても良く、単独で又は他の装置に接続されて用いられる構成であっても良い。
【００１６】
実施の形態  １．
図１は、本発明の実施の形態１に係る情報表示装置１（図１（ａ））及び該情報表示装置１を備えるプリンタ３（図１（ｂ））の外観を示す正面図である。
プリンタ３は、略直方体のプリンタ本体３７を備え、該プリンタ本体３７の上部に、画像を記録すべき記録シート（以下、用紙という）を載置する給紙トレイ３６を備え、下部に、画像が記録された用紙を載置する排紙トレイ３８を備える。プリンタ本体３７は、内部に、ＣＰＵ３０、ＲＯＭ３１、及びＲＡＭ３２等（図２参照）を格納している。
また、プリンタ３は、ユーザが見易く操作し易い場所であるプリンタ本体３７の上面に、情報表示装置１を備える。
【００１７】
情報表示装置１は、正面視左右方向に細長く設けられている液晶ディスプレイ（以下、ＬＣＤという）１２、及び複数の発光ダイオード（以下、ＬＥＤという）１１ａ，１１ａ，…等で構成されている表示部１１を備える。
また、情報表示装置１は、ＬＣＤ１２の正面視右側に配置されているトラックボール１４、及び複数のファンクションキー１３ａ，１３ａ，…等で構成されている操作部１３を備える。トラックボール１４は、ユーザの操作によって左右（図中矢符方向）に回転するよう設けられている。
ＬＣＤ１２には、左から右へ並置された文字情報が１行分だけ表示される。このため、ＬＣＤ１２の上下方向の長さは、ＬＣＤ１２に表示すべき最大の文字の高さに応じ、左右方向の長さは、ＬＣＤ１２に表示すべき最大の文字の幅と、該文字の個数とに応じる。即ち、ＬＣＤ１２は、最小限の大きさを有する。
【００１８】
情報表示装置１は、表示すべき文字情報であるメッセージ（例えば、「給紙部で用紙が詰まりました」）を、ＬＣＤ１２に、右から左へ（図中白抜矢符方向へ）自動的にスクロール表示する。この場合、トラックボール１４が左方向へ操作されたとき、情報表示装置１は、トラックボール１４の回転量に応じてＬＣＤ１２に表示されているメッセージのスクロール速度を連続的に増加させ、右方向へ操作されたとき、メッセージのスクロール速度を連続的に減少させる。
スクロール速度が０になった場合、情報表示装置１は、メッセージをスクロール速度０でスクロール表示（即ち、メッセージを停止表示）し、スクロール速度が０未満になった場合は、マイナスのスクロール速度でスクロール表示（即ち、左から右へスクロール表示）する。
以下、白抜矢符方向（右から左）を順方向、左から右を逆方向という。
【００１９】
なお、スクロール速度の上限／下限を設け、例えば、０以下のスクロール速度を設けず、メッセージが必ず右から左へスクロール表示されるよう構成してあっても良い。
また、トラックボールではなく、スクロール速度の増減キー、及びスクロール方向の変更キー等を用いる構成であっても良い。この場合、例えば、スクロール速度の増加（減少）キーが操作されたとき、操作回数に応じて、スクロール速度が段階的に増加（減少）され、また、スクロール方向の変更キーが操作される都度、スクロール方向が逆転する。
【００２０】
図２は、プリンタ３の構成を示すブロック図である。
ＣＰＵ３０は、プリンタ３の制御中枢であり、バスを介して、ＲＯＭ３１及びＲＡＭ３２等のプリンタ３各部に接続されている。ＣＰＵ３０は、ＲＯＭ３１に予め記憶してある制御プログラム及びデータに従ってプリンタ３の各部を制御し、このとき発生するデータ又は外部から入力されるデータ等をＲＡＭ３２に一時記憶して、各種処理を実行する。
ＲＯＭ３１には、ＬＣＤ１２にスクロール表示すべきメッセージの内容、及びスクロール速度の初期値等が記憶されている。スクロール速度の初期値は正の値であり、以下では、初期値のスクロール速度を標準速度という。また、ＲＯＭ３１には、トラックボール１４の単位回転量に対するスクロール速度の単位増減量も記憶されている。
【００２１】
インターフェイス３３は、画像処理ソフトをインストールされているパーソナルコンピュータ、又はデジタルスチールカメラ等の画像入力装置に接続される。画像メモリ３４は、例えばＤＲＡＭを用いてなる。
記録部３５は、例えば、供給された用紙に画像を形成するインクジェット方式の画像形成装置と、給紙トレイ３６に載置されている用紙を、プリンタ本体３７内部の画像形成装置へ供給し、また、画像形成装置から排紙トレイ３８へ用紙を排出する用紙搬送装置（給紙部）とを備える。
ＣＰＵ３０は、前記画像入力装置によってインターフェイス３３を介して入力された画像データを、画像メモリ３４に記憶させ、次いで、画像メモリ３４に記憶されている画像データを読み出し、読み出した画像データに基づく画像を、インクを用いて用紙に形成して排出する。
【００２２】
また、ＣＰＵ３０は、情報表示装置１の表示部１１を制御して、プリンタ３の動作状態又はユーザに対する入力指示等、即ちユーザに報知すべき内容を、該内容に応じたＬＥＤ１１ａ，１１ａ，…を点灯又は消灯させたり、前記内容に応じたメッセージをＬＣＤ１２に表示させたりすることによって報知する。
操作部１３は、ファンクションキー１３ａ，１３ａ，…が操作されたか否かを検出する検出手段と、トラックボール１４の回転の有無及び回転量を検出する検出手段とを備え（夫々不図示）、各検出手段の検出結果をＣＰＵ３０へ伝送する。ＣＰＵ３０は、伝送された検出結果に応じて装置各部を制御する。例えば、ＬＣＤ１２にメッセージを表示している場合、メッセージの消去に対応するファンクションキー１３ａが操作されたことを検出したとき、ＣＰＵ３０は、ＬＣＤ１２にメッセージの表示を終了させる。
【００２３】
なお、ＣＰＵ３０との間で制御信号を送受信し、該制御信号に応じて情報表示装置１の各部を制御する制御手段を情報表示装置１が備える構成であっても良い。
また、操作部１３に数値入力手段（例えばテンキー）を設け、該数値入力手段から入力された数値を、標準速度又はトラックボール１４の単位回転量に対するスクロール速度の単位増減量等として用いる構成であっても良い。
【００２４】
図３は、情報表示装置１の情報表示処理の手順を示すフローチャートである。
スクロール表示すべきメッセージをＬＣＤ１２に表示させる場合、ＣＰＵ３０は、まず、ＲＯＭ３１に記憶されている標準速度を読み出してスクロール速度Ｘとする（Ｓ１１）。
次に、速度Ｘで、メッセージをスクロール表示する（Ｓ１２）。この場合、Ｘが正の値であるとき、ＣＰＵ３０は、ＬＣＤ１２に、メッセージを順方向へ速度Ｘでスクロール表示させ、Ｘが０であるとき、メッセージを停止表示させ、Ｘが負の値であるとき、メッセージを逆方向へＸの絶対値の速度でスクロール表示させる。Ｓ１１の処理の直後は、ＣＰＵ３０は、ＬＣＤ１２に、メッセージを順方向へ標準速度で自動的にスクロール表示させる。
【００２５】
次に、ＣＰＵ３０は、操作部１３から伝送される検出結果を用いて、トラックボール１４が回転したか否かを判定し（Ｓ１３）、左回転した場合は（Ｓ１３で左）、トラックボール１４の回転量を検出し（Ｓ１４）、スクロール速度Ｘに、検出した回転量に応じた速度（＝検出した回転量／トラックボール１４の単位回転量×スクロール速度の単位増減量）を加えた速度を算出して、新たなスクロール速度Ｘとし（Ｓ１５）、処理をＳ１２へ戻して、速度Ｘで、メッセージをスクロール表示する。この場合、Ｓ１４の時点でスクロール速度Ｘが標準速度であったとき、ＣＰＵ３０は、ＬＣＤ１２に、メッセージを順方向へ標準速度より速い速度でスクロール表示させる。
【００２６】
トラックボール１４が右回転した場合（Ｓ１３で右）、ＣＰＵ３０は、トラックボール１４の回転量を検出し（Ｓ１６）、スクロール速度Ｘから、検出した回転量に応じた速度（＝検出した回転量／単位回転量×単位増減量）を減じた速度を算出して、新たなスクロール速度Ｘとし（Ｓ１７）、処理をＳ１２へ戻して、速度Ｘで、メッセージをスクロール表示する。この場合、Ｓ１６の時点でスクロール速度Ｘが標準速度であったとき、ＣＰＵ３０は、ＬＣＤ１２に、メッセージを順方向へ標準速度より遅い速度でスクロール表示させる。
【００２７】
トラックボール１４が回転していない場合（Ｓ１３でＮＯ）、ＣＰＵ３０は、メッセージの表示を終了するか否かを判定する（Ｓ１８）。この場合、ＣＰＵ３０は、メッセージの消去に対応するファンクションキー１３ａが操作された場合、又は、装置の動作状況に変化が生じた場合等にメッセージの表示を終了すると判定する。例えば、ＣＰＵ３０は、紙詰まりが生じた場合に紙詰まりを報知するメッセージをスクロール表示させ、紙詰まりが解消されたときに前記メッセージを消去させる。
【００２８】
メッセージの表示を終了しない場合（Ｓ１８でＮＯ）、ＣＰＵ３０は、処理をＳ１３へ戻してトラックボール１４の回転の有無を判定する。このとき、ＬＣＤ１２には、例えば、同じメッセージが、スクロール速度及びスクロール方向を変えることなく、繰り返し表示される。
メッセージの表示を終了する場合（Ｓ１８でＹＥＳ）、ＣＰＵ３０は、ＬＣＤ１２からメッセージを消去して、情報表示処理を終了する。
以上のようにして、ＬＣＤ１２は、表示すべき文字情報をスクロール表示する手段として機能し、トラックボール１４は、スクロール速度の増減（及びスクロール方向の変更）を受け付ける受付手段として機能し、ＬＣＤ１２は、更に、受け付けたスクロール速度の増減（又はスクロール方向の変更）に応じて文字情報をスクロール表示する手段として機能する。
【００２９】
以上のような情報表示装置１は、メッセージのスクロール表示を自動的に開始し、トラックボール１４が全く操作されなかった場合、標準速度で順方向へのスクロール表示を継続する。
また、情報表示装置１は、トラックボール１４が左方向へ操作された場合、トラックボール１４の操作前の速度から増加されたスクロール速度でスクロール表示し、トラックボール１４が右方向へ操作された場合、トラックボール１４の操作前の速度から減少されたスクロール速度でスクロール表示する。この場合、情報表示装置１は、スクロール速度が正の値であるときは順方向へ、負の値であるときは逆方向へスクロール表示する。
【００３０】
更に、情報表示装置１は、トラックボール１４の操作後、操作が止まった場合、トラックボール１４の操作に応じたスクロール速度及びスクロール方向でのスクロール表示を継続する。
即ち、情報表示装置１は、メッセージの標準的な速度での表示、急速度での表示（早送り）、ゆっくりした速度での表示、逆方向への表示（巻き戻し）、及び停止表示を、自動的に、又はユーザの簡易な操作に応じて実行するため、ユーザの作業が煩雑になることを防止し、更に、メッセージの読み逃がしを防止して、ユーザの利便性を向上している。
【００３１】
なお、ＬＣＤ１２を上下方向に細長く設け、トラックボール１４の上下方向への操作によってスクロール速度の増減又はスクロール方向の変更を行なうよう構成されていても良い。
また、例えば、左から右へ並置された文字情報を１行分又は複数行分、下から上へスクロール表示する表示手段であっても良い。
更に、ＬＣＤ１２は、文字情報のみならず、記号又は画像等の情報を表示するよう構成されていても良い。
【００３２】
実施の形態  ２．
図４は、本発明の実施の形態２に係る情報表示装置２の外観を示す正面図であり、図５は、情報表示装置２を備えるプリンタ３の構成を示すブロック図である。
情報表示装置２は、実施の形態１の情報表示装置１の代わりに、プリンタ３に備えられている。情報表示装置２は、実施の形態１のＬＣＤ１２に対応するＬＣＤ２２で構成されている表示部２１と、ＬＣＤ２２の正面視右側に配置されている一対の矢印キー（左キー２４及び右キー２５）で構成されている操作部２３とを備える。
その他、実施の形態１に対応する部分には同一符号を付してそれらの説明を省略する。
【００３３】
ＲＯＭ３１には、ＬＣＤ２２にスクロール表示すべきメッセージの内容、標準速度、及び標準速度より大きい正の値である速度（以下、急速度という）等が記憶されている。
ＣＰＵ３０は、情報表示装置２の表示部２１を制御して、プリンタ３の動作状態又はユーザに対する入力指示等、即ちユーザに報知すべき内容を、該内容に応じたメッセージをＬＣＤ２２に表示させることによって報知する。
操作部２３は、左キー２４及び右キー２５の何れかが操作されているか否かを検出する図示しない検出手段を備え、該検出手段の検出結果をＣＰＵ３０へ伝送する。ＣＰＵ３０は、伝送された検出結果に応じて情報表示装置２を制御する。
【００３４】
ＣＰＵ３０に制御されて、情報表示装置２は、表示すべき文字情報であるメッセージ（例えば、「インクが残り少なくなりました」）を、ＬＣＤ２２に、まず、順方向（図４（ａ）中白抜矢符方向）へ標準速度で自動的にスクロール表示する。この場合、左キー２４が操作され、その操作が継続されているとき（即ち、ユーザが左キー２４を押し続けているとき）、情報表示装置２は、ＬＣＤ２２に、順方向へ急速度でメッセージをスクロール表示する。また、右キー２５が操作され、その操作が継続されているとき（即ち、ユーザが右キー２５を押し続けているとき）、情報表示装置２は、ＬＣＤ２２に、逆方向（図４（ｂ）中白抜矢符方向）へ急速度でメッセージをスクロール表示する。
【００３５】
左キー２４又は右キー２５の操作が終了したとき（即ち、ユーザが左キー２４又は右キー２５から手を離したとき）、情報表示装置２は、ＬＣＤ２２に再び、順方向へ標準速度でメッセージをスクロール表示する。
なお、ＬＣＤ２２に、順方向へ標準速度より遅い速度でメッセージをスクロール表示させるためのキーを設けても良い。
また、操作部２３に数値入力手段（例えばテンキー）を設け、該数値入力手段から入力された数値を標準速度又は急速度等として用いる構成であっても良い。
【００３６】
図６は、情報表示装置２の情報表示処理の手順を示すフローチャートである。
スクロール表示すべきメッセージをＬＣＤ２２に表示させる場合、ＣＰＵ３０は、まず、ＬＣＤ２２に、メッセージを順方向へ標準速度でスクロール表示させる（Ｓ２１）。
次に、ＣＰＵ３０は、操作部２３から伝送される検出結果を用いて、左キー２４又は右キー２５が操作されたか否かを判定し（Ｓ２２）、左キー２４が操作された場合は（Ｓ２２で左）、ＬＣＤ２２に、メッセージを順方向へ急速度でスクロール表示させる（Ｓ２３）。更に、ＣＰＵ３０は、左キー２４の操作が継続しているか否かを判定し（Ｓ２４）、継続している場合は（Ｓ２４でＹＥＳ）、ＬＣＤ２２に、メッセージを順方向へ急速度でスクロール表示させ続け、再び、左キー２４の操作が継続しているか否かを判定する。
【００３７】
また、右キー２５が操作された場合（Ｓ２２で右）、ＣＰＵ３０は、ＬＣＤ２２に、メッセージを逆方向へ急速度でスクロール表示させる（Ｓ２５）。更に、ＣＰＵ３０は、右キー２５の操作が継続しているか否かを判定し（Ｓ２６）、継続している場合は（Ｓ２６でＹＥＳ）、ＬＣＤ２２に、メッセージを逆方向へ急速度でスクロール表示させ続け、再び、右キー２５の操作が継続しているか否かを判定する。
左キー２４の操作が終了した場合（Ｓ２４でＮＯ）、又は、右キー２５の操作が終了した場合（Ｓ２６でＮＯ）、ＣＰＵ３０は、処理をＳ２１へ戻して、ＬＣＤ２２に、メッセージを順方向へ標準速度でスクロール表示させる。
【００３８】
左キー２４及び右キー２５が両方とも操作されていない場合（Ｓ２２でＮＯ）、ＣＰＵ３０は、メッセージの表示を終了するか否かを判定し（Ｓ２７）、終了しない場合（Ｓ２７でＮＯ）、処理をＳ２２へ戻して左キー２４又は右キー２５の操作の有無を判定する。このとき、ＬＣＤ２２には、例えば、同じメッセージが、順方向へ標準速度で繰り返しスクロール表示される。
メッセージの表示を終了する場合（Ｓ２７でＹＥＳ）、ＣＰＵ３０は、ＬＣＤ２２からメッセージを消去して、情報表示処理を終了する。
【００３９】
以上のようにして、ＬＣＤ２２は、表示すべき文字情報をスクロール表示する手段として機能し、左キー２４は、スクロール速度の増加を受け付ける手段として機能し、右キー２５は、逆方向へのスクロール表示を受け付ける手段として機能し、ＬＣＤ２２は、更に、受け付けたスクロール速度の増加又はスクロール方向の変更に応じて文字情報をスクロール表示する手段として機能する。
【００４０】
以上のような情報表示装置２は、メッセージのスクロール表示を自動的に開始し、左キー２４及び右キー２５が操作されていない間は、標準速度で順方向へのスクロール表示を行ない、左キー２４が操作されている間は急速度で順方向へのスクロール表示を行ない、右キー２５が操作されている間は急速度で逆方向へのスクロール表示を行なう。
即ち、情報表示装置２は、メッセージの標準的なスクロール速度での自動的なスクロール表示と、ユーザの簡易な操作に応じた急速度での早送り及び巻き戻しとを実行するため、ユーザの作業が煩雑になることを防止し、更に、メッセージの読み逃がしを防止して、ユーザの利便性を向上している。
【００４１】
【発明の効果】
本発明の情報表示装置によれば、情報（例えば文字情報）を自動的にスクロール表示し、また、スクロール方向の変更及び／又はスクロール速度を受け付け、更に、受け付けたスクロール方向及び／又はスクロール速度に応じて情報をスクロール表示する。このことにより、情報表示装置は、表示すべき情報であるメッセージを同時に全て表示できない場合、ユーザの操作とは無関係に、自動的に、部分的なメッセージを順次表示することができる。このため、情報表示装置は、ユーザに繁雑な作業を強いることなくユーザに対してメッセージを表示することができ、この結果、情報表示装置は、ユーザの利便性を向上することができる。
【００４２】
また、情報表示装置は、情報表示装置に備えられているトラックボール又は矢印キー等を用い、ユーザが、手動で、自動スクロール表示されているスクロール方向及び／又はスクロール速度の調整を簡単に行なうことができる。このような情報表示装置を用いることによって、ユーザは、自分にとって見易い速度でスクロール表示されているメッセージを読んだり、不要なメッセージを読み飛ばしたり、同じメッセージを巻き戻して読み直したりすることができる。この結果、自動的なスクロール表示によるユーザの利便性を更に向上することができる
【００４３】
また、以上のような情報表示装置は、大量（長文）のメッセージを表示すべき場合であっても、メッセージを部分的に順次表示するため、メッセージを表示する表示手段を大型化する必要がない。更に、文字情報をスクロール表示することにより、表示すべき文字情報の大きさ及び個数等に応じた最小限の大きさの表示手段を備えることができるため、情報表示装置を小型化することができる等、本発明は優れた効果を奏する。
【図面の簡単な説明】
【図１】本発明の実施の形態１に係る情報表示装置及び該情報表示装置を備えるプリンタの外観を示す正面図である。
【図２】本発明の実施の形態１に係る情報表示装置を備えるプリンタの構成を示すブロック図である。
【図３】本発明の実施の形態１に係る情報表示装置の情報表示処理の手順を示すフローチャートである。
【図４】本発明の実施の形態２に係る情報表示装置の外観を示す正面図である。
【図５】本発明の実施の形態２に係る情報表示装置を備えるプリンタの構成を示すブロック図である。
【図６】本発明の実施の形態２に係る情報表示装置の情報表示処理の手順を示すフローチャートである。
【符号の説明】
１，２  情報表示装置
１２，２２  ＬＣＤ
１４  トラックボール
２４  左キー
２５  右キー
３０  ＣＰＵ
３１  ＲＯＭ
【図１】
2004325906.tif 000003
【図２】
2004325906.tif 000004
【図３】
2004325906.tif 000005
【図４】
2004325906.tif 000006
【図５】
2004325906.tif 000007
【図６】
2004325906.tif 000008